(57)【特許請求の範囲】
【請求項１】
互いに直交する前後方向と横方向と縦方向とを有し、股下域の前方には前胴周り域が形成され後方には後胴周り域が形成されており、前記前後胴周り域によって胴周り開口が画成される一方、前記前後胴周り域と前記股下域とによって一対の脚周り開口が画成されていて、前記胴周り開口の縁部と前記脚周り開口の縁部とがそれぞれの開口の周り方向において弾性的に伸長・収縮可能であり、さらに前記前後胴周り域と前記股下域との前記横方向の寸法を二等分して前記縦方向へ延びる縦方向中心線と、前記胴周り開口の前記前後方向の寸法を二等分して前記横方向へ延びる横方向中心線とを有する使い捨てのパンツ型着用物品であって、
前記股下域には、前記股下域の内面のさらに内側に前記股下域を横断して前記股下域における両側縁部の前記内面に接合する一方、前記両側縁部の間が前記内面から離間した状態にあるシート片が設けられ、前記シート片によって、前記股下域を前記前後方向において二つに区分する隔壁部と、前記物品着用者の脚周りの一部分を前記脚周りの内側から覆って前記一部分の体液による汚れを防止可能であり、かつ、前記脚周りの一部分に弾性的にフィットできるように前記脚周りにおける周り方向へ弾性的に伸長・収縮可能な脚周り被覆部とが形成されており、
前記前後胴周り域が互いに重なり合うように前記股下域が前記横方向中心線に沿って折曲された状態では、前記シート片が、前記横方向中心線に沿って折り重ねられた状態にあって前記横方向中心線上で前記内面に接触し、かつ、前記横方向中心線上およびその近傍のいずれかにおいて前記股下域の内面に接合しており、
前記シート片の上方部分には前記横方向における前記縦方向中心線の両側に前記折り重ねられた状態にある前記シート片どうしの接合域が形成され、かつ、前記両側に形成された前記接合域どうしの間で前記上方部分が前記横方向に二つに分離され、この二つに分離された部分は、折り重ねられた状態にある前記シート片の前記縦方向の寸法１／４〜３／４を占め、二つに分離された前記上方部分のそれぞれが前記脚周り被覆部を形成する一方、
前記上方部分よりも下方の部分では前記シート片が前記横方向において連続した状態にあって前記隔壁部を形成していることを特徴とする前記着用物品。
【請求項２】
前記上方部分は、前記縦方向中心線に沿って形成されたスリットによって二つに分離される請求項１に記載の着用物品。
【請求項３】
前記上方部分は、前記縦方向中心線上に形成されたＶ字形またはＵ字形の切断域によって二つに分離される請求項１に記載の着用物品。
【発明の詳細な説明】
【技術分野】
【０００１】
この発明は、使い捨てのおむつや使い捨てのトレーニングパンツ等として使用するのに好適な使い捨てのパンツ型着用物品に関する。
【背景技術】
【０００２】
従来、使い捨てのおむつ等において、体液が着用物品の股下域から漏れることを防ぐための手段を有するものは公知である。
【０００３】
例えば、米国特許第４，６９５，２７８号公報（特許文献１）に開示されたおむつは、開放型のものであって、股下域の両側に二重のカフ（dual cuffs）を持っている。それぞれのカフは、おむつの前後方向へ弾性的に伸長・収縮可能なものである。このおむつでは、それを着用すると、二重のカフそれぞれが脚周りに弾性的にフィットして、体液の漏れを防ぐことができる。
【０００４】
また、特開平８−５６９８５号公報（特許文献２）に開示された吸収体製品は、パンツ型のものであって、股下域の両側部には、脚周り開口の少なくとも一部を塞ぐようにサイド部材と呼ばれるシート片が取り付けられている。
【特許文献１】米国特許第４，６９５，２７８号公報
【特許文献２】特開平８−５６９８５号公報
【発明の開示】
【発明が解決しようとする課題】
【０００５】
着用中のおむつでは、尿と便とが混合されて粘度の低くなった便が広がって肌を汚したり、おむつから漏れ易くなったりすることがある。しかるに、特許文献１に開示されたおむつや特許文献２に開示された吸収体製品は、粘度の低くなった便の漏れを防ぐことはできても、尿と便とが混合されることを防ぐことはできない。
【０００６】
そこで、この発明は、股下域で尿と便とが混合されることを防ぐことができるように、従来の使い捨てのパンツ型着用物品に改良を加えることを課題にしている。
【課題を解決するための手段】
【０００７】
前記課題解決のために、この発明が対象とするのは、互いに直交する前後方向と横方向と縦方向とを有し、股下域の前方には前胴周り域が形成され後方には後胴周り域が形成されており、前記前後胴周り域によって胴周り開口が画成される一方、前記前後胴周り域と前記股下域とによって一対の脚周り開口が画成されていて、前記胴周り開口の縁部と前記脚周り開口の縁部とがそれぞれの開口の周り方向において弾性的に伸長・収縮可能であり、さらに前記前後胴周り域と前記股下域との前記横方向の寸法を二等分して前記縦方向へ延びる縦方向中心線と、前記胴周り開口の前記前後方向の寸法を二等分して前記横方向へ延びる横方向中心線とを有する使い捨てのパンツ型着用物品である。
【０００８】
かかる着用物品において、この発明が特徴とするところは以下のとおりである。前記股下域には、前記股下域の内面のさらに内側に前記股下域を横断して前記股下域における両側縁部の前記内面に接合する一方、前記両側縁部の間が前記内面から離間した状態にあるシート片が設けられ、前記シート片によって、前記股下域を前記前後方向において二つに区分する隔壁部と、前記物品着用者の脚周りの一部分を前記脚周りの内側から覆って前記一部分の体液による汚れを防止可能であり、かつ、前記脚周りの一部分に弾性的にフィットできるように前記脚周りにおける周り方向へ弾性的に伸長・収縮可能な脚周り被覆部とが形成されており、前記前後胴周り域が互いに重なり合うように前記股下域が前記横方向中心線に沿って折曲された状態では、前記シート片が、前記横方向中心線に沿って折り重ねられた状態にあって前記横方向中心線上で前記内面に接触し、かつ、前記横方向中心線上およびその近傍のいずれかにおいて前記股下域の内面に接合しており、前記シート片の上方部分には前記横方向における前記縦方向中心線の両側に前記折り重ねられた状態にある前記シート片どうしの接合域が形成され、かつ、前記両側に形成された前記接合域どうしの間で前記上方部分が前記横方向に二つに分離され、この二つに分離された部分は、折り重ねられた状態にある前記シート片の前記縦方向の寸法１／４〜３／４を占め、二つに分離された前記上方部分のそれぞれが前記脚周り被覆部を形成する一方、前記上方部分よりも下方の部分では前記シート片が前記横方向において連続した状態にあって前記隔壁部を形成している。
【０００９】
この発明の好ましい実施形態の一つにおいて、前記縦方向中心線に沿って形成されたスリットによって二つに分離される。
【００１０】
この発明の好ましい実施形態のさらに他の一つにおいて、前記上方部分は、前記縦方向中心線上に形成されたＶ字形またはＵ字形の切断域によって二つに分離される。
【発明の効果】
【００１２】
この発明に係るパンツ型着用物品は、それを着用すると、股下域を横断するシート片が形成する脚周り被覆部が着用者の脚周りの一部分を内側から覆って脚が排泄部で汚れることを防ぐ。そのシート片ではまた、股下域を横断して股下域を前後に二分する隔壁部が、股下域前方に排泄される尿と股下域後方に排泄される便との混合を防ぐ。
【００１３】
この発明の好ましい実施形態におけるその他の効果は、以下において説明される。
【発明を実施するための最良の形態】
【００１４】
この発明に係る使い捨てのパンツ型着用物品としてパンツ型おむつを例にとり、発明の詳細を説明すると以下のとおりである。
【００１５】
図１は、パンツ型おむつ１の部分破断斜視図である。パンツ型おむつ１は、透液性の内面シート２と、不透液性の外面シート３と、これら両シート２，３間に介在する体液吸収性芯材４とを含むパンツ型の被覆部１０を有するもので、おむつ１における前後方向と横方向と縦方向とが互いに直交する双頭矢印Ａ，Ｂ，Ｃで示されている。被覆部１０は、股下域６と、股下域６の前方に形成された前胴周り域７と、股下域６の後方に形成された後胴周り域８とを有し、前後胴周り域７，８の側縁部分７ａ，８ａどうしが合掌状に重なり合い、縦方向Ｃへ間欠的に並ぶ接合域９において互いに溶着している。かような前後胴周り域７，８は胴周り開口１１を画成し、前後胴周り域７，８と股下域６とが一対の脚周り開口１２を画成している。胴周り開口１１の周縁部では、内外面シート２，３の間にあって胴周り方向へ延びる複数条の胴周り弾性部材１４ａが内外面シート２，３の少なくとも一方に伸長状態で接合している。また、脚周り開口１２の周縁部では、内外面シート２，３の間にあって脚周り方向へ延びる複数条の脚周り弾性部材１４ｂが内外面シート２，３の少なくとも一方に伸長状態で接合して、環状の脚周り弾性域を形成している。
【００１６】
おむつ１はまた、内面シート２のさらに内側にシート片２０を有する。シート片２０は、柔軟な不織布やプラスチックフィルム、より好ましくは柔軟にして不透液性の不織布やプラスチックフィルム等で形成されており、胴周り開口１１の前後方向Ａの径を二等分して横方向Ｂへ延びる横方向中心線Ｇ−Ｇよりも前方に位置する前部２１と横方向中心線Ｇ−Ｇよりも後方に位置する後部２２とを有していて、シート片２０の両側縁部３１が脚周り開口１２の周縁部１３に接合している（図２参照）。シート片２０はさらに、側縁部３１と側縁部３１との間の部分が内面シート２から離間している。シート片２０の前部２１と後部２２とのそれぞれは、それらの上方部分が胴周り開口１１の横方向Ｂの径を二等分して上下方向Ｃへ延びる縦方向中心線Ｈ−Ｈの両側に縦方向中心線Ｈ−Ｈに沿って形成された第１接合域２３ａと第２接合域２３ｂとを含む接合域２３（図２，３参照）において互いに接合し、かつ、第１接合域２３ａと第２接合域２３ｂとの間にあって縦方向中心線Ｈ−Ｈに沿って延びるスリット２４（図２参照）によって、横方向Ｂへ二分されている。このようにして、前部２１の上方部分は前部第１、第２上方部分２１ａと２１ｂとになり、後部２２の上方部分は後部第１、第２上方部分２２ａと２２ｂとになっている。前部第１上方部分２１ａと後部第１上方部分２２ａとは、第１接合域２３ａにおいて互いに接合しており、着用者（図示せず）の右脚の一部分を覆うことのできる脚周り被覆部２０ａを形成している。また、前部第２上方部分２１ｂと後部第２上方部分２２ｂとは、第２接合域２３ｂにおいて互いに接合しており、着用者の左脚の一部分を覆うことのできる脚周り被覆部２０ｂを形成している。前部第１上方部分２１ａと後部第１上方部分２２ａとは、右脚にフィットし易いようにＶ字形に拡開しており、前部第２上方部分２１ｂと後部第２上方部分２２ｂとは、左脚にフィットし易いようにＶ字形に拡開している。脚周り被覆部２０ａと脚周り被覆部２０ｂとは、これら両者の間にスリット２４が形成されていることによっていわば分離独立した状態にあり、着用されたおむつ１において互いの動きを拘束することなく自由に動くことができる。シート片２０の前部２１と後部２２とはまた、スリット２４の下端２７よりも下方に位置する前部下方部分３５と後部下方部分３６とのそれぞれが横方向Ｂにおいて連続した状態にあって股下域６を横断し、股下域６を前後方向Ａにおいて二分する隔壁部２０ｃを形成している。なお、接合域２３において、第１接合域２３ａと第２接合域２３ｂとはスリット２４の下端２７よりも下方においてつながっている。また、縦方向中心線Ｈ−Ｈは、股下域６と前後胴周り域７，８との横方向Ｂの寸法を二等分する線でもある。
【００１７】
このような状態にあるシート片２０は、弾性的には伸長することがないシート材料で形成されているものであって、前部第１、第２上方部分２１ａ，２１ｂおよび後部第１、第２上方部分２２ａ，２２ｂそれぞれの頂縁部分に弾性部材４１ａ，４１ｂ，４２ａ，４２ｂが伸長状態で取り付けられている（図２，３参照）。それゆえ、シート片２０は、これら弾性部材４１ａ，４２ａ，４１ｂ，４２ｂが収縮することによって、脚周り被覆部２０ａと２０ｂとが図に示す矢印Ｍａ方向と矢印Ｍｂ方向とへ動いて、それぞれが仮想線の状態になる。好ましい脚周り被覆部２０ａと２０ｂとは、このように動くことによって、右脚と左脚との内側にフィットして両脚が尿等の排泄物で汚れることを防ぐ効果的な手段となる。図において横方向Ｂへ延びる弾性部材４１ａ，４１ｂ，４２ａ，４２ｂは、おむつ１が着用されたときに、脚周り被覆部２０ａ，２０ｂを脚周り方向において伸長させたり、収縮させたりすることができるものである。シート片２０の前部下方部分３５と後部下方部分３６とは、股下域６を横断していることによって、シート片２０の前方に排泄された尿（図示せず）が後方へ流動することを防ぐことができ、シート片２０の後方に排泄された便（図示せず）が前方へ流動することも防ぐことができる。このようにして、おむつ１では、シート片２０によって、尿と便とによる脚の汚れを防ぐ効果と、尿と便とが混合されることを防ぐ効果とを同時に得ることができる。
【００１８】
図２は、図１のＩＩ−ＩＩ線断面図であって、このＩＩ−ＩＩ線は、おむつ１をその横方向Ｂにおいて二等分して前後方向Ａへ延びる前後方向中心線Ｆ−Ｆ（図３を併せて参照）に一致していて、スリット２４を通る線でもある。股下域６はＵ字形に湾曲しており、股下域６の側縁部１３が脚周り開口１２を画成している。シート片２０は、前部第１上方部分２１ａと後部第１上方部分２２ａとがホットメルト接着剤４６を含む第１接合域２３ａにおいて接合している。前部第１上方部分２１ａと後部第１上方部分２２ａそれぞれの頂縁部では、シート片２０を折り返すことによってスリーブ４７ａ，４８ａが形成されていて、それらスリーブ４７ａ，４８ａの内側に弾性部材４１ａ，４２ａが取り付けられており、図ではこれら弾性部材４１ａ，４２ａが横方向Ｂへ伸長された状態にある。シート片２０の前部下方部分３５と後部下方部分３６とは前後方向Ａにおいて互いに離間しているが、シート片２０はこれら両部分３５と３６との境界となる横方向中心線Ｇ−Ｇ（図１参照）上の部分またはその近傍のいずれかにおいてホットメルト接着剤４９を介して内面シート２に接合している。図から明らかなように、前部下方部分３５と後部下方部分３６とは、股下域６の前方部分と後方部分とを隔てる二重構造の隔壁部２０ｃを形成して、股下域６を横断している。図２において、折り重ねられているシート片２０の高さＰは、シート片２０が脚周り開口１２の頂部を越えることがないように定められる。また、高さＰのうちでスリット２４が占める長さＱは高さＰの１／４〜３／４程度であることが好ましい。
【００１９】
図３は、図１のパンツ型おむつ１の前後胴周り域７，８を接合域９において剥離し、かつ、接合域２３において接合しているシート片２０どうしを剥離して、おむつ１の全体を前後方向Ａと横方向Ｂとに緊張して得られるおむつ１についての部分破断展開図である。ただし、図３においてのおむつ１は展開おむつ１ａと呼ばれ、シート片２０はそれにスリット２４が形成される前のシート片２０ｄとして示されている。
【００２０】
図３において、被覆部１０は砂時計型に形成されており、脚周り開口１２の周縁部１３が股下域６の側縁部１３となって現れている。側縁部１３のそれぞれは、展開おむつ１ａにおける股下域６の幅を二等分する前後方向中心線Ｆ−Ｆに向かって凸となるように湾曲している。前後胴周り域７，８の側縁部７ａ，８ａのそれぞれは、側縁部１３につながるものではあるが、前後方向中心線Ｆ−Ｆに平行している。芯材４はほぼ矩形であって、粉砕パルプと高吸水性ポリマー粒子との混合物４ａをティッシュペーパー４ｂで覆うことにより形成されている。
【００２１】
図３のシート片２０ｄは、内面シート２の内側にあって、股下域６を横断しており、同じように股下域６を横断するように塗布されているホットメルト接着剤４９を介して展開おむつ１ａの前後方向Ａの中央部に、換言すると横方向中心線Ｇ−Ｇ上またはその近傍のいずれかに接合し、ホットメルト接着剤５１を介して股下域６の側縁部１３に接合している。シート片２０ｄはまた、横方向中心線Ｇ−Ｇに平行する前縁部５１と後縁部５２とを有し、これら前縁部５１と後縁部５２との間の距離は、図２における高さＰの２倍であって、横方向中心線Ｇ−Ｇによって二等分されている。シート片２０ｄはさらに、前後方向中心線Ｆ−Ｆに沿っていて、前縁部５１と後縁部５２とのそれぞれから横方向中心線Ｇ−Ｇに向かって延びている前部接合予定域５３と後部接合予定域５４とを有し、前部接合予定域５３と後部接合予定域５４との間に非接合域５７を有する。シート片２０ｄはさらにまた、図１のスリット２４を形成するために横方向Ｂにおいてシート片２０ｄを部分的に二等分して横方向中心線Ｇ−Ｇに向かって延びる前部切断予定域５５と後部切断予定域５６とを有する。前部接合予定域５３と後部接合予定域５４とは、互いに接合する前か互いに接合した後に、これら切断予定域５５と５６とにおいて切断されて横方向Ｂへ二分される。前縁部５１と後縁部５２とは、シート片２０ｄを折り返すことにより形成されたスリーブ６１，６２に内側に股下域６を横断する弾性部材６３，６４を有する。弾性部材６３，６４は、伸長状態にあって、その長さ方向に間欠的に塗布された接着剤（図示せず）を介してスリーブ６１，６２の内面に収縮可能に接合しており、切断予定域５５，５６が切断されるのと同時に切断されて、図１における弾性部材４１ａ，４１ｂ，４２ａ，４２ｂのそれぞれとなる。
【００２２】
この発明において、横方向Ｂへの弾性的な伸長性を有していない図示例のシート片２０ｄは、弾性的な伸長性を有するシート材料からなるシート片に代えるとともに、弾性部材６３，６４を省くことができる。その場合のシート片は、横方向Ｂへ弾性的に伸長させた状態または伸長させない状態で内面シート２に接合することができる。
【００２３】
展開おむつ１ａから図１のパンツ型おむつ１を得るには、前後胴周り域７，８が重なり合うようにシート片２０ｄを内側にして展開おむつ１ａの股下域６を横方向中心線Ｇ−Ｇに沿って折り重ねる。また、被覆部１０の前後胴周り域７，８の側縁部７ａ，８ａどうしを部位９において接合する。シート片２０ｄは、切断予定域５５と５６とが一致するように前部接合予定域５３と後部接合予定域５４とを重ね合わせて接合し、切断予定域５５と５６とにスリット２４を形成する。これら接合予定域５３，５４は、図１における第１接合域２３ａと第２接合域２３ｂとを形成し、非接合域５７は隔壁部３５の一部分となる。
【００２４】
図３の展開おむつ１ａにおいて、横方向中心線Ｇ−Ｇ上でシート片２０と内面シート２とを接合するホットメルト接着剤４９は、股下域６の幅の全体ではなくて一部分にのみ塗布されていてもよいが（図４参照）、図３の如く幅の全体に塗布されている場合には尿と便との混合を防止することの確実性が向上する。また、図１において、スリット２４が、接合域２３を越えて隔壁部３５へ進入することのない場合には、尿や便がシート片２０の内面側において脚周り開口１２に向かって流れるということがないので、尿や便によって脚を汚すことが少なくなり、またおむつ１の漏れ防止性能が向上する。ただし、尿と便との混合の防止にさほどの確実性を必要としない場合には、ホットメルト接着剤４９を省いてこの発明を実施することも可能である。
【００２５】
図４は、この発明の実施形態の一例を示す図３と同様な図である。図４における展開おむつ１ａでは、横方向中心線Ｇ−Ｇ上におけるシート片２０ｄと被覆部１０の内面との接着剤４９によって形成される接合域が股下域６における横方向Ｂの中央部のみにあって、股下域６の側縁部１３にはそのような接合域が形成されていない。図４のシート片２０ｄはまた、図１のスリット２４に代わるＶ字形またはＵ字形の前部切断予定域５５と後部切断予定域５６とを有している。前部切断予定域５５および後方切断予定域５６のそれぞれには、前部接合予定域５３と後部接合予定域５４とのそれぞれが形成されている。前部切断予定域５５と後方切断予定域５６とは横方向中心線Ｇ−Ｇに関してほぼ対称であって、前部切断予定域５５と後方切断予定域５６とが一致するように前部接合予定域５３と後部接合予定域５４とが接合している場合のパンツ型おむつ１では、股下域６の両側においてシート片２０が形成している脚周り被覆部２０ａ，２０ｂそれぞれの横方向Ｂにおける寸法を図１に例示の脚周り被覆部２０ａ，２０ｂよりも小さくして、これら脚周り被覆部２０ａ、２０ｂに生じるギャザー（図示せず）を少なくすることができる。図４においてもまた、シート片２０ｄを横方向Ｂに弾性的な伸長性を有するシート材料からなるものに代えて、弾性部材６３，６４を省くことができる。
【産業上の利用可能性】
【００２６】
この発明によれば、尿と便との混合を防ぐことが可能な使い捨てのパンツ型おむつの製造が可能になる。
【図面の簡単な説明】
【００２７】
【図１】パンツ型おむつの部分破断斜視図。
【図２】図１のＩＩ−ＩＩ線断面図。
【図３】図１のパンツ型おむつの部分破断展開図。
【図４】実施形態の一例を示す図３と同様な図。
【符号の説明】
【００２８】
１    パンツ型おむつ
６    股下域
７    前胴周り域
８    後胴周り域
１１    胴周り開口
１２    脚周り開口
１３    脚周り開口の縁部（周縁部、側縁部）
２０    シート片
２０ａ，２０ｂ    脚周り被覆部
２０ｃ    隔壁部
２３，２３ａ，２３ｂ    接合域
Ａ    前後方向
Ｂ    横方向
Ｃ    縦方向
Ｆ−Ｆ    前後方向中心線
Ｇ−Ｇ    横方向中心線
Ｈ−Ｈ    縦方向中心線
【図１】
0005280050.tif 000002
【図２】
0005280050.tif 000003
【図３】
0005280050.tif 000004
【図４】
0005280050.tif 000005